(57)【要約】【課題】電動ドライバーを使ってネジ止め作業中に、電動ドライバーを把持する手に接続ドリルを保持できるようにする。【解決手段】電動ドライバーの回転軸に装着されたドライバービットの先端に装脱着できる接続ドリル19であって、この接続ドリル19の本体部17に手の指に保持させることができる指保持部20を設けた。この指保持部20は、接続ドリル19の本体部17の外周部を囲繞するように取り付けられる取付部21と、この取付部21に接続する環状部22とから形成される。この環状部22に手の指を挿通して指に保持したままの状態で、電動ドライバーを把持してビス止め作業を行うことができる。【選択図】図３
2015027717.tif 000002
【特許請求の範囲】
【請求項１】
インパクトドライバーや電動ドライバー等の電動回転工具の回転軸に装着されたドライバービットの先端に装脱着できるビット受容孔をその本体部の基端側端面に有する接続ドリルにおいて、
この接続ドリルの本体部に手の指に保持させることができる指保持部を設けたことを特徴とする指保持部付き接続ドリル。
【請求項２】
前記接続ドリルが、前記本体部と、その先端部で着脱自在に装脱着することができるドリルビットとからなることを特徴とする請求項１に記載の指保持部付き接続ドリル。
【請求項３】
前記指保持部が、前記接続ドリルの本体部の外周部を囲繞するように取り付けられる取付部と、この取付部に接続する環状部とから形成され、
前記環状部に手の指を挿通して指に保持されることを特徴とする請求項１又は２に記載の指保持部付き接続ドリル。
【請求項４】
前記指保持部の取付部と環状部とが連結部材により連結され、前記環状部は、この環状部を含む平面が接続ドリルの本体部の基端側端面と略平行となるように配置され、電動回転工具のドライバービットが前記環状部の内側略中央部を挿通して前記接続ドリルの本体部の基端側端面に設けられた前記ビット受容孔に嵌合することを特徴とする請求項３に記載の指保持部付き接続ドリル。
【発明の詳細な説明】
【技術分野】
【０００１】
本発明は、インパクトドライバーや電動ドライバー等の電動回転工具の回転軸に装着されたドライバービットの先端に装脱着自在に連結できる接続ドリルに関し、より詳しくは、この接続ドリルの本体部に指保持部を設けたものに関する。
【背景技術】
【０００２】
従来においては、この種の指保持部付きの接続ドリルは全く存在していなかったものである。
そこで、従来のビス止め作業の手順について以下説明する。
【０００３】
先ず、各種の建築部材をビス止めする際には、予め下穴を穿孔し、その後ビスによる締め着けを行う。
一例を挙げると、電動ドライバーの回転軸に６角軸ドライバービットを連結して装着し、この６角軸ドライバービット、通常はプラスドライバービットであるが、この６角軸ドライバービットの先端に接続ドリルを更に連結するのである。
【０００４】
そして、この接続ドリルによって下穴を穿孔した後、この接続ドリルを前記電動回転工具の前記ドライバービットの先端から離脱させ、前記下穴にビスの先端を嵌め込み、前記ドライバービットの先端のプラスドライバーをビス頭部の十文字溝に適合させて、締め着け螺着するのである。
【０００５】
また、接続ドリルは、本体部と先端側のドリルビットとから成り、このドリルビットは本体部の先端部で着脱自在のものであり、本体部の基端側端面中央部には６角孔からなる前記ドライバービットの先端を受容できるビット受容孔が形成されたものである。
次に、接続ドリルの装脱着動作を含めて更にビス止め作業について詳細に説明すると、以下のようになる。
【０００６】
作業者が右利きの場合には、右手で予め６角軸のドライバービットが装着されたピストル型の電動回転工具のハンドル部を把持する。
腰ベルト等に取り付けた工具入れから接続ドリルを取り出して前記ドライバービットの先端部にこの接続ドリルを左手で取り付ける。
【０００７】
次に、ビスを複数本、左の手に保持した状態で、右手で下穴を穿孔する。
下穴は、必要な数だけ予め穿孔しておく。
その後に、電動回転工具のドライバービットの先端の接続ドリルを左手で取り外し、取り外された接続ドリルは、その本体部を右手の指の間に挟んで保持するのである。
【０００８】
その状態で、左手に握ったビスの１本を前記下穴の１つに適合させ、その後に右手の電動回転工具のドライバービットの先端をビス頭部の十文字溝に適合して螺着する、或いは、ドライバービットの先端にビスを磁着させて下穴にビス先端を適合させて螺着するのである。
このようにして、接続ドリルは、右手の指の間に保持した状態で、ビスを順次締め付けて行くのである。
以上の作業を作業者は何度も繰り返し行わねばならないのである。
【０００９】
或いは、下穴を複数穿孔した後に、接続ドリルを左手で取り外して、腰ベルト等に取り付けた工具入れに収納した後に、左手で複数のビスを保持して順次螺着して行くこともできるのである。
ここで、上記のように、右手の指の間に接続ドリルを保持し、この接続ドリルを左手で保持することができない訳は、左手には複数のビスを握り占める必要があるからである。つまり、左手で接続ドリルを保持して、握った沢山のビスを１個ずつ下穴にセットして行くことはできないからである。
【発明の概要】
【発明が解決しようとする課題】
【００１０】
従来のビス止め作業においては、上記した通り、電動回転工具のハンドル部を握った右手の指の間に接続ドリルを挟持し保持してビス止め作業が行われていた。
しかし、接続ドリルの本体部の外径は、およそ２１ｍｍ〜２２ｍｍ程度あって、これを指の間に保持して電動回転工具のハンドル部を握り、ビス止め作業を行う場合には、指の間に保持した接続ドリルを下方に落としてしまうという問題があった。
通常は、この種のビス止め作業は高所で行うこともあり、接続ドリルを落としてしまうと、非常に危険なのである。
【００１１】
勿論、接続ドリルを電動回転工具から取り外し、工具入れや工具袋等に収納した後にビス止め作業を行えば、その落下の問題は少なくなるのであるが、いちいち接続ドリルを工具袋等に収納する手間は非常に面倒なのである。
というのも、このビス止め作業は、下穴穿孔及びビス締着作業を多数回繰り返し行う必要があり、その都度接続ドリルを工具袋等に収納するのは非常に面倒な行為となるからである。
【００１２】
そこで本発明においては、この接続ドリルをその都度工具袋等に収納せずに、しかも、ビス止め作業中に下方に落としてしまうことがないようにすることをその基本課題としている。
そのために、本発明においては、電動回転工具のハンドル部を握る手の指に接続ドリルを保持できるような手段を講じることをその課題とするものである。
【課題を解決するための手段】
【００１３】
上記課題を解決するために、本発明の第１のものは、インパクトドライバーや電動ドライバー等の電動回転工具の回転軸に装着されたドライバービットの先端に装脱着できるビット受容孔をその本体部の基端側端面に有する接続ドリルにおいて、この接続ドリルの本体部に手の指に保持させることができる指保持部を設けたことを特徴とする指保持部付き接続ドリルである。
【００１４】
本発明の第２のものは、上記第１の発明において、前記接続ドリルが、前記本体部と、その先端部で着脱自在に装脱着することができるドリルビットとからなることを特徴とする指保持部付き接続ドリルである。
【００１５】
本発明の第３のものは、上記第１又は第２の発明において、である。
【００１６】
本発明の第４のものは、上記第３の発明において、前記指保持部が、前記接続ドリルの本体部の外周部を囲繞するように取り付けられる取付部と、この取付部に接続する環状部とから形成され、記環状部に手の指を挿通して指に保持されることを特徴とする指保持部付き接続ドリルである。
【発明の効果】
【００１７】
本発明の第１のものにおいては、電動回転工具の回転軸に装着されたドライバービットの先端に装脱着できる接続ドリルの本体部に指保持部を設けたため、この指保持部が前記電動回転工具のハンドル部を握る手の指に取り付けられるために、手の指自体は接続ドリルを保持する必要がなく、工具のハンドル部を握ったままでビス止め作業を続けることができ、しかも、この接続ドリルが下方に落下する恐れも無くなるのである。
【００１８】
本発明の第２のものにおいては、上記第１の発明において、前記接続ドリルの構造をより明確に限定したものであり、即ち、この接続ドリルは、本体部と、その先端部で着脱自在に装脱着することができるドリルビットとからなるものであることを限定したものである。
接続ドリルとしては、接続ドリルの本体部の先端部に固定的にドリルビットが設けられているものであってもよく、或いは、この第２の発明に特定したように、ドリルビットが装脱着できる形式のものであってもよいのである。
【００１９】
本発明の第３のものにおいては、上記第１又は第２の発明において、前記指保持部をより限定したものであり、即ち、この指保持部は、接続ドリルの本体部の外周部を囲繞するように取り付けられる取付部と、この取付部に接続される環状部とから形成され、この環状部に指を挿通して指に保持されることができるものである。
【００２０】
つまり、この環状部は、指輪のように使用することができ、電動回転工具のハンドル部を握る手の小指等に挿通してそのままハンドル部を握ることにより、手の指に接続ドリルをぶら下げた状態で保持することができることとなるのである。
この状態で、ビス止め作業を行うことができるために、接続ドリルは下方に落下する恐れが無くなるのである。
【００２１】
本発明の第４のものにおいては、上記第３の発明において、指保持部の形態をより限定したものである。
即ち、この指保持部では、取付部と環状部とが連結部材により連結され、環状部は、その環状部を含む平面が接続ドリルの本体部の基端側端面と略平行となるように配置され、電動回転工具のドライバービットが前記環状部の内側略中央部を挿通して前記接続ドリルの本体部の基端側端面に設けられた前記ビット受容孔に適合できるように構成したものである。
【００２２】
これにより、接続ドリルを電動回転工具に装着した状態で下穴を穿孔する際に、環状部が電動回転工具のドライバービットの周囲を囲繞するような位置関係となり、接続ドリルがドライバービットと共に回転した際に、前記環状部は前記ドライバービットの周囲を回転するような状態となり、環状部が接続ドリルの本体部の周りで回転することが無くなるのである。
【００２３】
更に詳述すれば、上記第１乃至第３の発明においては、前記環状部は、接続ドリルの本体部の外周部に位置するものも含むために、接続ドリルが回転すると、その周りで前記環状部も回転することとなり、この環状部が被締結物等の他の構成物品に接触する恐れも生じるが、上記第４の発明のような構成とすることにより、この環状部はドライバービットの回りを回転することとなり、その恐れが無くなるのである。
【図面の簡単な説明】
【００２４】
【図１】本発明の指保持部付き接続ドリルの第１実施形態を示しており、その（Ａ）が側面図、その（Ｂ）が電動ドリルのドライバービットに装着した状態を示す側面図である。
【図２】上記第１実施形態に係る指保持部付き接続ドリルの全体斜視図である。
【図３】本発明に係る指保持部付き接続ドリルの第２実施形態を示す斜視図である。
【図４】上記第２実施形態に係る指保持部付き接続ドリルを手の指に装着した状態を図示する説明図である。
【図５】本発明に係る指保持部付き接続ドリルの第３実施形態を示す斜視図である。
【図６】本発明に係る指保持部付き接続ドリルの第４実施形態を示す斜視図である。
【発明を実施するための形態】
【００２５】
以下、添付の図面と共に本発明の実施形態について説明する。
図１は、本発明の指保持部付き接続ドリルの第１実施形態を示しており、その（Ａ）が側面図、その（Ｂ）が電動ドリルのドライバービットに装着した状態を示す側面図である。
本発明に係る指保持部付き接続ドリル１０は、接続ドリル１３の本体部１１に指保持部２０が取り付けられたものである。
【００２６】
この接続ドリル１３は、基端側の本体部１１と、この本体部１１の先端部に固定されたドリルビット１２とからなり、本体部１１の基端側端面には、図には現れていないが、電動ドライバー等の電動回転工具６０の回転軸に連結された６角軸のドライバービット６１を受容できるビット受容孔を有し、電動回転工具６０のドライバービット６１に装脱着可能なものである。
【００２７】
この接続ドリル１３を電動回転工具６０のドライバービット６１に装脱着する手段は、従来の構成と同様であって、本体部１１の外周部を前後方向に移動する操作筒体を基端側に移動させると、筒状本体部の周壁に設けられている鋼球が半径方向の外側に移行して、ドライバービット６１の挿入を可能状態として、ドライバービット６１を挿入し、その後、操作筒体が元の位置に復帰することにより前記鋼球がストッパーの役目を担い、このドライバービット６１の先端部に接続ドリル１３が装着される構成である。
【００２８】
接続ドリル１３を離脱させる場合には、同様に操作筒体を基端側に移動させることにより、前記鋼球が半径方向外側に移行してロックが解除され、その状態でドライバービット６１を抜脱させることができる。
【００２９】
そして、この接続ドリル１３の本体部１１には、指保持部２０が取り付けられている。
この指保持部２０は、接続ドリル１３の本体部１１の基端側の外周部を囲繞するように取り付けられた取付部２１が設けられ、この取付部２１の適宜位置に環状部２２が接続されたものから構成されている。
【００３０】
これらの取付部２１及び環状部２２は、何れも柔軟性及び可撓性を有する合成ゴム等の同一の合成樹脂製のものから一体成形されたものである。
即ち、接続ドリル１３の本体部１１の環状溝部に適合するように取付部２１を取り付け、環状部２２は、取付部２１の何れの位置に接続していてもよいものである。
【００３１】
図２は、上記第１実施形態に係る指保持部付き接続ドリルの全体斜視図である。
この斜視図から良く解る通り、本発明に係る指保持部２０付き接続ドリル１０は、その接続ドリル１３の本体部１１の基端側を取り囲むように取り付けられた取付部２１とこの取付部２１に接続する環状部２２とから成る指保持部２０を備えるものである。
【００３２】
この指保持部２０の環状部２２は、いわば指輪のような機能を発揮し、電動ドライバー等の電動回転工具のハンドル部を握る手の指の何れかに挿通して取り付けることができ、それにより接続ドリル１３を手の指にぶら提げた状態に維持することができるものである。
図示した実施形態においては、指保持部２０の取付部２１は、接続ドリル１３の本体部１１の基端側に取り付けているが、その取り付け位置は全く自由である。
【００３３】
尚、図１及び図２に図示した第１実施形態は、基本的に同じ構成のものであるが、図２のものでは、ドリルビットの固定に１個の小ネジのみを使用している点で相違している。
【００３４】
図３は、本発明の指保持部付き接続ドリルの第２実施形態を図示する斜視図である。
この第２実施形態に係る指保持部付き接続ドリル１９においては、図示はしていない６角軸のドリルビットが接続ドリル１９の本体部１７の筒状本体部１５の先端面に設けられたビット受容孔１５ｈに装脱着自在の形式のものである。
【００３５】
即ち、この実施形態に係る接続ドリル１９の本体部１７は、筒状本体部１５の先端側に先端側操作筒体１４が、その基端側には基端側操作筒体１６が設けられたものからなるものである。
尚、この図においては、装脱着自在のドリルビットの図示は省略している。
【００３６】
この接続ドリル１９の本体部１７は、その先端側の先端側操作筒体１４を基端側に移動させると、筒状本体部１５の壁面に備えられた鋼球が半径方向外側に移動して、ロック解除状態となり、図示はしていない６角軸から成るドリルビットの軸部を挿入することでき、挿入後この先端側操作筒体１４が元の位置に復帰することにより、ドリルビットをロック状態として装着できる。
【００３７】
他方、基端側の基端側操作筒体１６を基端側に移行させると、同様に筒状本体部１５の壁面に備えられた鋼球が半径方向外側に移動してロックが解除され、電動回転工具の回転軸に連結する６角軸のドライバービットの先端部が挿入可能となり、基端側操作筒体１６が元の位置に復帰するとドライバービットの抜脱がロックされる構成を有するものであり、この接続ドリル１９の本体部１７は従来のものと同一の構成を成すものである。
【００３８】
以上の構成を有する接続ドリル１９の本体部１７の基端側の基端側操作筒体１６の外周に指保持部２０の取付部２１を取り付けるのである。
この取付部２１には、環状部２２が接続していて、電動回転工具のハンドル部を握る手の指に指輪のように挿通させ、接続ドリル１９を手の指にぶら提げた状態でネジ止め作業を行うことができるのは、上記第１実施形態と全く同様である。
【００３９】
尚、この第２実施形態に係る指保持部２０も、柔軟で可撓性を有する合成ゴムから成形されているが、その他の合成樹脂から成形されたものであってもよい。
また、本体部１９の全体を合成樹脂製のものとして実施したものも存在するが、その場合には、本体部と一体的に成形することも可能となる。
【００４０】
図４は、上記第２実施形態に係る指保持部付き接続ドリルを手の指に装着した状態を図示する説明図である。
この図４においては、右利きの作業者が右手Ｈで電動回転工具６０のハンドル部６５を握り、その握った手Ｈの小指Ｆに指保持部２０の環状部２２を挿通させて、ビス止め作業を行う状態を図示したものである。
【００４１】
この図から良く解る通り、本発明に係る指保持部付き接続ドリル１９は、その指保持部２０の環状部２２を電動回転工具６０のハンドル部６５を握る手Ｈの何れの指にも指輪のように取り付けることができるのである。
【００４２】
このように環状部２２を指に装着した状態で、ビス止め作業を行い、下穴を穿設する際には、この指保持部付き接続ドリル１９を反対側の左手で右手の指から取り外し、電動回転工具６０のドライバービット６１の先端に装着して下穴を穿孔することができるのである。
以上のように、本発明に係る指保持部付き接続ドリル１９を指に装着することにより、この接続ドリル１９は、下方に落下することを防止できるのである。
【００４３】
図５は、本発明に係る指保持部付き接続ドリルの第３実施形態を図示する斜視図である。
この図においても先端に装着されるドリルビットの図示は省略している。
この第３実施形態に係る指保持部付き接続ドリル３の本体部１７の構成は、上記第２実施形態のものと同一である。
そして、この第３実施形態においてはその指保持部の構成が上記実施形態と異なるのである。
【００４４】
即ち、この第３実施形態に係る指保持部２０は、本体部１７の基端側操作筒体１６に取り付けられる取付部１６は基端側操作筒体１６の外周部にその外周を被覆するように取り付けられ、この取付部２１の適宜位置から本体部１７の長手方向に延長する接続部２３が形成され、この接続部２３の端部に輪状の環状部２２が接続されるのである。
【００４５】
そして、この環状部２２は、この環状部２２を含む平面が、本体部１７の基端側操作筒体１６の端面及び筒状本体部１５の基端側端面と略平行に設けられているのである。
従って、電動回転工具のドライバービット６１は、この環状部２２の略中央部を挿通するようにして、換言すれば、この環状部２２の略中央部を貫通するようにして、本体部１７の基端側端面に設けられているビット受容孔に挿入できることとなるのである。
【００４６】
このような構成とすることにより、本発明に係る接続ドリル３が電動回転工具のドライバービット６１の先端に装着された状態で、下穴穿孔作業を行うのであるが、その際に指保持部２０の環状部２２は、ドライバービット６１の周りで回転することができ、上記第１実施形態及び第２実施形態のように、接続ドリルの本体部の外周でこの環状部が回転し、被締着部材以外の他の部材に接触してしまうことが防止されるのである。
この第３実施形態に係る指保持部２０の材質も上記第１及び第２実施形態のものと同様である。
【００４７】
図６は、本発明に係る指保持部付き接続ドリルの第４実施形態を示す斜視図である。
この実施形態においても、その接続ドリルの構成は、上記第２、第３実施形態と同じであるが、その指保持部の構成が上記実施形態と異なる。
即ち、この第４実施形態では、上記実施形態のような環状部が設けられておらず、取付部２１から延長する可撓性のある棒状体又は線状体からなる延長部２４と、その延長部２４の端部に、その延長部２４と略直角に配置された平板状のプレート部材２５からなるものである。
【００４８】
このような構成とすることにより、上記延長部２４とプレート部材２５により、棒状体等からなる延長部２４が指の間を挿通し、握った手の指の内側に前記平板状のプレート部材２５が配置されて、手で電動ドライバーのハンドル部を握った状態で、接続ドリル１７を指の間から延長する延長部２４によってぶら下げた状態に保持することができるのである。
尚、この第４実施形態においても、その指保持部の材質は合成樹脂製であり、とりわけ延長部２４及びプレート部材２５は柔軟な可撓性を有するものが相応しい。
【００４９】
このように、指保持部においては、接続ドリルの本体部に取り付ける取付部と、この取付部に接続される環状部ばかりでなく、接続部や延長部を介して、その端部に設けたプレート部材によって構成することもできるのである。
プレート部材の形状や大きさは自由に設計することができる。
【００５０】
尚、指取付部に関して、図３に示す第２実施形態と同じ構成とし、この指取付部の取付部を接続ドリルの筒状本体部１５の部分に遊嵌させて取り付け、接続ドリル１７が回転しても、取付部は回転しない状態として実施することもできるのである。
【００５１】
以上、実施形態について説明したが、本発明においては以下の通り種々設計変更することができる。
指保持部が取り付けられる接続ドリルは、その先端のドリルビットが固定的に設けられたタイプのもの、或いは、ドリルビットが装脱着可能なタイプのものであってもよく、これらの何れのタイプのものであってもよい。
先端のドリルビットの形態も自由である。
【００５２】
指保持部の構成も、上記第１又は第２実施形態のような取付部と環状部から成るもの、或いは、上記第３実施形態のように取付部と接続部と環状部から成るものであってもよい。
更には上記第４実施形態のように、指保持部の構成は、上記のような環状部でなく、取付部から延長する可撓性のある棒状体等からなる延長部と、その延長部の端部に、その延長部と略直角に配置するように設けた平板状のプレート部材からなるものであってもよい。
【００５３】
上記接続部や延長部の長さも適宜決定することができ、環状部の内径や外径、プレート部材のサイズも適宜設計変更することができる。
プレート部材の外形形状も、四辺形、円形、楕円形等々、適宜形状にすることができ、要は、握った手の内部で、つまり手指の内側で保持できるサイズと形状であればよい。
最後に指保持部の環状部やプレート部材の材質は、合成樹脂以外の金属等の素材を用いて実施することも可能である。勿論、一体成形ものでなくともよい。
【００５４】
以上、本発明は、これまでにない新規で独創的な指保持部を備える接続ドリルであって、これにより接続ドリルを手の指等に保持したままの状態で電動回転工具のハンドル部を握り、ビス止め作業を行うことができる便利な指保持部付き接続ドリルを提供することができたものである。
【符号の説明】
【００５５】
３、４、１０、１９  指保持部付き接続ドリル
１１、１７  本体部
１２  ドリルビット
１３  接続ドリル
１４  先端側操作筒体
１５  筒状本体部
１６  基端側操作筒体
２０  指保持部
２１  取付部
２２  環状部
２３  接続部
２４  延長部
２５  プレート部材
【図１】
2015027717.tif 000003
【図２】
2015027717.tif 000004
【図３】
2015027717.tif 000005
【図４】
2015027717.tif 000006
【図５】
2015027717.tif 000007
【図６】
2015027717.tif 000008